(57)【特許請求の範囲】
【請求項１】
−情報信号を受信するための入力と、
−トラックに記録しうるよう情報信号を処理するための信号処理手段と、
−連続する異なるカウント信号のアレイを生成し、かつ連続する異なるカウント信号を一定の供給レートで出力に供給するよう形成したカウント信号生成手段と、
−処理された該情報信号を記録キャリアのトラックに記録し、かつ該カウント信号を記録キャリアのトラックに記録するために少なくとも１つの記録ヘッドを具えた記録手段と、
−記録キャリアを一定の搬送速度で該記録キャリアの長さの方向に搬送するための搬送手段とを具えた記録キャリアのトラックに情報信号を記録する情報信号記録装置において、該カウント信号生成手段は、記録期間中、記録キャリアの搬送速度の値に関係なく、異なるカウント信号の各々を記録キャリアの長さの方向に見て、該記録キャリア上のほぼ固定位置の各々に記録させ、さらに該カウント信号生成手段は前記異なるカウント信号と該異なるカウント信号の１個以上の繰り返しの信号とを有するカウント信号の他のアレイを前記出力に供給できるようにしたことを特徴とする情報信号記録装置。
【請求項２】
該カウント信号生成手段がほぼ固定した供給レートで異なるカウント信号を供給する情報信号記録装置であって、該カウント信号生成手段が連続する異なるカウント信号のアレイにおける連続する異なるカウント信号間の差が記録期間中の記録キャリアの搬送速度にほぼ比例するようにカウント信号を供給することを特徴とする請求項１記載の情報信号記録装置。
【請求項３】
該カウント信号生成手段はさらに記録期間中における記録キャリアの搬送速度にほぼ比例する供給レートで連続的な異なるカウント信号を供給することを特徴とする請求項１記載の情報信号記録装置。
【請求項４】
前記情報信号として第１情報信号を受信し、記録キャリアの始めの場所に位置する第１部分に第１情報信号を記録するため、該カウント信号生成手段は０を可とするスタート値から増加していくカウント信号を生成することを特徴とする請求項１ないし３のいずれか１項に記載の情報信号記録装置。
【請求項５】
前記情報信号として第１及び第２情報信号を受信する請求項１ないし３のいずれか１項に記載の情報信号記録装置であって、記録キャリアに第１情報信号が記録される最後の部分の直ぐ後に第２情報信号を記録するため、記録キャリアの当該部分に記録されたカウント信号の数値を読取り、前記カウント信号生成手段に当該数値を供給し、前記カウント信号生成手段が当該数値からスタートするカウント信号を生成することを特徴とする情報信号記録装置。
【請求項６】
前記記録手段が記録キャリアの同一トラックにカウント信号および処理された情報信号を記録することを特徴とする請求項１ないし３のいずれか１項に記載の情報信号記録装置。
【発明の詳細な説明】
【０００１】
【産業上の利用分野】
本発明は、−情報信号を受信するための入力と、
−トラックに記録しうるよう情報信号を処理するための信号処理手段と、
−連続する異なるカウント信号のアレイを生成し、かつ連続する異なるカウント信号を一定の供給レートで出力に供給するよう形成したカウント信号生成手段と、
−処理された該情報信号を記録キャリアのトラックに記録し、かつ該カウント信号を記録キャリアのトラックに記録するために少なくとも１つの記録ヘッドを具えた記録手段と、
−記録キャリアを一定の搬送速度で該記録キャリアの長さの方向に搬送するための搬送手段とを具えた記録キャリアのトラックに情報信号を記録する装置に関するものである。
【０００２】
【従来の技術】
この種の装置は記録キャリア上にＶＩＴＣタイムコードをも記録しうる螺旋走査ビデオレコーダの形で知られている。ＶＩＴＣコードについてはＩＥＣ  スタンダード  パブリケーション、Ｎｏ．４６１，  １９８６年、３１〜５４ページを参照されたい。既知の装置において記録が行われる際はカウント信号生成手段はゼロを可とするある所定値からスタートして一定の増分率でカウント    アップされる。このようにして、タイムコードとして使用されるカウント信号が生成され、前記カウント信号は記録キャリアの傾斜トラックに記録される。記録キャリア上に記録されたタイムコードはロケーション目的（位置標定目的）用として使用することができる。
【０００３】
既知の装置は記録キャリアの長さの方向における所定位置の標定（ロケーション）が時として旨くいかないという難点を有する。
【０００４】
【発明が解決しようとする課題】
本発明の目的はかなり明瞭な方法で記録キャリア上の所定位置を標定することを可能にした記録キャリアのトラックに情報信号を記録する装置を提供しようとするものである。
【０００５】
【課題を解決するための手段】
この目的を達成するため、前述形式の本発明装置の場合は、該カウント信号生成手段は記録期間中、記録キャリアの搬送速度の値に関係なく、カウント信号を記録キャリアの長さの方向に見て、該記録キャリア上のほぼ固定位置に記録させ、さらに該カウント信号生成手段は前記異なるカウント信号と該異なるカウント信号の１個以上の繰り返しの信号とを有するカウント信号を供給できるようにしたことを特徴とする。
【０００６】
本発明は次のような認識にもとづくものである。従来の技術による記録装置で実現されているように、一定の増分率および一定の供給レートでカウント信号を生成することは情報信号の記録期間中記録キャリアのすべての搬送速度に対して生成される異なるカウント信号のアレイが時間の関数として同一であることを意味する。情報信号は装置の短いプレーモード（ｓｈｏｒｔ  ｐｌａｙ  ｍｏｄｅ  ）または長いプレーモード（ｌｏｎｇ  ｐｌａｙ  ｍｏｄｅ）で記録しうるものと想定する。長いプレーモードにおいては、記録キャリアの搬送速度はある公称値を有し、短いプレーモードでは記録キャリア搬送速度はより高く、公称速度の２倍となる。双方の速度に対して同じ位置に同じカウント信号は記録されない。実際上は、短いプレーモードで記録されたカウント信号は長いプレーモードで記録されたときのカウント信号アレイの同じカウント信号または同じでないカウント信号とのみほぼ一致する。これは記録されるカウント信号が位置関連（ｌｏｃａｔｉｏｎ−ｒｅｌａｔｅｄ）でないことを意味する。
【０００７】
他の難点は、長いプレーモードにおいて前に記録された信号を短いプレーモードにおける信号で重ね書き（ｏｖｅｒｗｒｉｔｅ  ）するとき、挿入部（ｉｎｓｅｒｔ）の終りにおけるカウント信号のシーケンスはもはや挿入部に続く元の記録におけるカウント信号のシーケンスとは連続的でないということである。さらに、挿入部および挿入部に続く元の記録内には同じカウント信号が起こりうる可能性が生じ、これは記録キャリア上の位置の標定を複雑にする。
【０００８】
本発明によるときは、それらが記録される記録キャリア上の対応する位置に対して直接的関係を有するカウント信号が記録されるようにしている。このことは、記録期間中の記録キャリアの搬送速度に関係なく、記録キャリア上の特定位置に同じカウント信号が記録されることを意味する。これはかなり明瞭かつユニークな方法で記録キャリア上の１つの位置にアドレスすることを可能にし、テープ上のあらゆる位置において、テープの始めの位置と終りの位置が現在の位置からどれだけ（メートルで）離れているかを決定することを可能にする。さらにこれは装置を使用できる任意のモード（例えば短いプレーモード、長いプレーモードまたはきわめて長いプレーモード）に対して現在の位置に対する使用時間（ｔｉｍｅ−ｕｓｅｄ  ）および残り時間（ｔｉｍｅ−ｌｅｆｔ  ）を決定することを可能にする。
【０００９】
これを実現するため、本発明装置の一実施例の場合、該カウント信号生成手段はさらに、異なるカウント信号のアレイにおける連続的カウント信号間の差が記録期間中の記録キャリアの搬送速度にほぼ比例するような方法でカウント信号を供給するに適するよう形成したことを特徴とする。これはより高い搬送速度の場合には記録キャリアに記録されるカウント信号が少なくなり、２つの連続的な異なる信号間の増分値がより大きくなるという結果を招来する。この実施例は記録キャリア上の傾斜トラックに情報信号の記録を行う場合の特殊用途である。
【００１０】
また、本発明装置の他の実施例の場合、該カウント信号生成手段はさらに、記録期間中における記録キャリアの搬送速度にほぼ比例する供給レートで連続的な異なるカウント信号を供給するに適するよう形成したことを特徴とする。この場合は、増分値を種々の搬送速度に対して一定に保持することができ、記録期間中における搬送速度に関係なく、記録キャリア上に同じカウント信号のアレイを記録することができる。
【００１１】
さらに、情報信号として第１及び第２情報信号を受信する装置の場合、該装置は、記録キャリアに第１情報信号が記録される最後の部分の直ぐ後に第２情報信号を記録するため、記録キャリアの当該部分に記録されたカウント信号の数値を読取り、前記カウント信号生成手段に当該数値を供給し、前記カウント信号生成手段が当該数値からスタートするカウント信号を生成することを特徴とする。これは、記録キャリアに記録されたカウント信号が記録キャリアの第１情報信号と第２情報信号との間の境界にわたって連続的であるという利点を有する。さらに、第２情報信号が元の記録の上に記録しようとする挿入部である場合は、挿入部の終りと挿入部に続く元の記録の部分とを分離する境界にまたがっての連続するカウント信号のシーケンスをもたらす。
【００１２】
【実施例】
以下図面により本発明を説明する。
【００１３】
図１はテープの一方の側に沿って、テープの長さの方向に配置したトラック２内にカウント信号を記録したテープ形状の縦形記録キャリア１を示す。トラックのハッチを施した部分はカウンタ信号がトラック内に記録された場所を示す。残りの部分４には、テープ上の傾斜トラック内にビデオ信号を記録することができる。図１から分かるようにトラック２の等距離の場所にはゼロから１１までの数を表わすカウント信号がヘッド３により記録されている。以下、テープの種々の搬送速度のもとにおけるカウント信号の記録に関し説明することにする。
【００１４】
短いプレーモードにおいては、テープの搬送速度  Ｖｔ  は４  Ｖ０  に等しいものとする。ここで、  Ｖ０  はある公称速度に等しい。カウント信号は図２ｃに示すようにカウント信号発生器５により生成される。数０，１，２，…を表わすカウント信号は１／Δｔ  に比例するある供給レートにより生成される。したがって、カウント信号は時間間隔ｎ・Δｔ  で生成される。ここで、ｎは０から増加する整数とする。このようにしてトラック内に生成されたカウント信号の記録は図１に示すような方法でトラックに記録された等距離のカウント信号を実現する。
【００１５】
いま、長いプレーモードにおいては、テープは２  Ｖ０  に等しい搬送速度  Ｖｔ  により、ヘッド３に沿って搬送されるものとし、カウント信号は図２ｂに示すようにカウント信号発生器５により生成されるものとする。数０，１，２，…を表わすカウント信号は、この場合１／２Δｔ  に比例するある一定の供給レートにより生成される。したがって、カウント信号は時間間隔ｎ・２Δｔ  で生成される。ここで、ｎは０から増加する整数とする。このようにしてトラック内に生成されたカウント信号の記録は図１に示すような方法でトラックに記録された等距離のカウント信号を実現する。これは、カウント信号の供給レートは２のファクタだけ低いが、テープの搬送速度も２のファクタだけ低く、したがって、カウント信号はトラックの長さの方向に見て短いプレーモードの場合と同じ位置に記録されることによる。
【００１６】
また、きわめて長いプレーモード（ｓｕｐｅｒ  ｌｏｎｇ  ｐｌａｙ  ｍｏｄｅ）においては、テープはＶ０に等しい搬送速度  Ｖｔ  によりヘッド３に沿って搬送されるものとし、カウント信号は図２ｃに示すようにカウント信号発生器５により生成されるものとする。数０，１，２，…を表わすカウント信号はこの場合  １／４Δｔ  に比例する一定の供給レートにより生成される。したがって、カウント信号は時間間隔ｎ・４  Δｔで生成される。ここで、ｎは０から増加する整数とする。このようにしてトラック内に生成されたカウント信号の記録は、図１に示すような方法でトラックに記録された等距離のカウント信号を実現する。これは、カウント信号の供給レートは２のファクタだけ低いが、テープの搬送速度も２のファクタだけ低く、したがって、カウント信号はトラックの長さの方向に見て、短いプレーモードおよび長いプレーモードの場合と同じ位置に記録されることによる。
【００１７】
結論として、カウント信号は点線
【外１】
0003566164.tif 000002
で示すようテープの始めを可とする固定出発位置からスタートして、トラックの長さの方向において、記録期間中のテープの搬送速度に関係なく１つのカウント信号が常にトラック内の同じ位置に記録されるような方法でトラックの一定位置に記録されることになる。
【００１８】
次に第２実施例の場合、きわめて長いプレーモードにおけるカウント信号の生成は上述の第１実施例の場合と同様であり、したがってカウント信号は図１に示すようにトラック２内に記録される。しかし、長いプレーモードにおいては、カウント信号発生器５は数０，２，４，６，…を表わすカウント信号を生成する。これらのカウント信号は時間間隔ｎ・４  Δｔ  、すなわち、きわめて長いプレーモードの場合と同じ時間間隔で生成される。このように、カウント信号の供給レートはきわめて長いプレーモードの場合と同じのままである。この場合、長いプレーモードにおいて生成される各時間ごとの２つの異なる連続的カウント信号間の差はきわめて長いプレーモードにおいて生成される２つの異なる連続的カウント信号間の差の倍となる。その結果、トラック２には、カウント信号０，２，４，６，…のみが記録される。
【００１９】
しかし、短いプレーモードにおいては、カウント信号発生器５は数０，４，８，…を表わすカウント信号を生成するに適し、それらのカウント信号は時間間隔ｎ・４  Δｔ  、すなわち、長いプレーモードおよびきわめて長いプレーモードの場合と同じ時間間隔で生成される。このように、カウント信号の供給レートは長いプレーモードおよびきわめて長いプレーモードの場合と同じままである。また、この場合短いプレーモードにおいて生成される各時間ごとの２つの異なる連続的カウント信号間の差は、長いプレーモードにおいて生成される２つの異なる連続的カウント信号間の差の倍となる。その結果、トラック２にはカウント信号０，４，８，１２，…のみが記録される。
【００２０】
結論として、カウント信号は、点線
【外２】
0003566164.tif 000003
で示すようなテープの始めを可とする固定出発位置からスタートして、トラックの長さの方向において、記録期間中のテープの搬送速度に関係なく１つのカウント信号が常にトラック内のほぼ同じ位置に記録されるような方法でトラックの一定位置に記録されることになる。
【００２１】
次に、第３実施例の場合、カウント信号は螺旋走査レコーダによりビデオ信号を記録しうる同じ傾斜トラック内に記録される。これを図３に示す。図３ａにおいては、テープの搬送速度  Ｖｔ  がＶ０に等しいとき、装置のきわめて長いプレーモードにおいてビデオ信号がテープ上に記録される。回転ヘッドドラム上に位置する回転ヘッドは図３ａに示すような相互に隣接して位置する傾斜トラック内にビデオ信号を記録させる。数０，１，２，３，…等により示すカウント信号は同じ回転ヘッドによりトラック内に記録される。この場合カウント信号は各トラックの始めに位置する第１トラック部分ＦＴＰ  に記録され、ビデオ信号はトラックの第２トラック部分ＳＴＰ  に記録される。図３ａから分かるように、数０，１，２，３，…等により表示されるカウンタ信号は後続するトラックＴ０，  Ｔ１，  Ｔ２，  …等の第１トラック部分に記録される。このようなカウント信号の記録を実現するためカウント信号発生器は後続するトラックの第１トラック部分ＦＴＰ  への記録用としてカウント信号を利用しうるよう一定の供給レートで後続カウント信号を生成しうるようにする。
【００２２】
いま、長いプレーモードにおいて、テープが２Ｖｏ  に等しい搬送速度  Ｖｔ  で搬送され、テープ１へのビデオ信号の記録が図３ｂに示すようにトラックＴ０′，  Ｔ１′，Ｔ２′，  Ｔ３′，  …等を実現させるものとする。この場合には、搬送速度はきわめて長いプレーモードにおける搬送速度の２倍となるため、トラック相互間にはスペーシング（間隔）が生ずる。また、この場合、各時間ごとの２つの連続するカウント信号間の差はきわめて長いプレーモードにおいて生成される２つの連続するカウント信号間の差の倍となる。これは、図３ｂに示すように連続するトラックＴ０′，  Ｔ１′，  Ｔ２′，  Ｔ３′，  …等にはカウント信号０，２，４，６，…等が生成され、記録されることを意味する。
【００２３】
次に、短いプレーモードにおいてテープは４Ｖ０  に等しい搬送速度  Ｖｔ  で搬送され、テープ１へのビデオ信号の記録が図３ｃに示すようにトラックＴ０  ，    Ｔ１  ，Ｔ２，…を実現させるものとする。この場合には、搬送速度はきわめて長いプレーモードにおける搬送速度の４倍となり、トラック相互間にはスペーシング（間隔）が生ずる。この場合、短いプレーモードにおける２つの連続するトラック間の間隔は長いプレーモードにおけるトラック間の間隔の倍となり、カウント信号発生器はきわめて長いプレーモードの場合と同じ供給レートで連続するカウント信号を生成する。また、２つの連続するカウント信号間の差はきわめて長いプレーモードにおいて生成される２つの連続するカウント信号間の差の４倍となる。これは、図３ｃに示すように、連続するトラックＴ０“，  Ｔ１”，  Ｔ２“  ，…等にはカウント信号０，４，８，…等が生成され、記録されることを意味する。
【００２４】
図３ａ、図３ｂおよび図３ｃを比較した場合、カウント信号は位置関連方式（ｌｏｃａｔｉｏｎ  ｒａｌａｔｅｄ  ｗａｙ）で記録されることが認識できる、すなわち、カウント信号はテープの始めを可とするライン
【外３】
0003566164.tif 000004
で示す固定出発位置からスタートして、テープの長さの方向に見たとき、記録期間中のテープの搬送速度に関係なく１つのカウント信号が常にテープ上の同じ位置に記録されるようなトラック上のロケーションに記録される。ただし、長いプレーモードにおいて記録されるカウント信号の数はきわめて長いプレーモードにおいて生成されるカウント信号の数の１／２  であり、また、短いプレーモードにおいて記録されるカウント信号の数は長いプレーモードにおいて生成されるカウント信号の数の１／２  である。このように、カウント信号０，２，４，６，８，…は常にテープに沿った同じロケーション
【外４】
0003566164.tif 000005
、ｌ２，ｌ３，ｌ４，ｌ５，．．．にそれぞれ記録される。
【００２５】
ここで、図３はトラックのサイズおよび位置の概略を図示したもので、実際上、図３ａおよび図３ｂに示すトラック間のオープンスペースは、信号対雑音比の改善のためより幅広のテープを用いて充填するようにするか、あるいはそれらに記録される付加的情報を有する付加的トラックを介挿させることにより充填するようにしている。
【００２６】
図４は本発明記録装置の一実施例のブロック図である。図示の装置は図３に示すようにテープ上の傾斜トラックにビデオ信号およびカウント信号の双方を一緒に記録することができる。図示のように、前記装置は記録キャリア上に記録しようとするビデオ信号のような情報信号を受信するための入力２０を含み、前記入力端子２０を信号処理手段２１の入力に結合する。信号処理手段２１においては、ビデオ信号を記録キャリアへの記録に適する形状となるよう既知の方法で処理し、処理されたビデオ信号を出力２２に導出させるようにする。前記装置はさらに出力２４に一定の供給レートで連続的カウント信号を発生するよう形成したカウント信号発生器２３を含む。装置は螺旋装置レコーダの形状を有するものとする。これは、ビデオ信号が回転ヘッドドラム２５上に位置する少なくとも１つの回転記録ヘッドにより記録されることを意味する。図には、ヘッドドラム２５の周辺で相互に  １８０°の関係位置に配置した２つの記録ヘッド２６，  ２７を示してある。処理手段２１の出力２２に現れるビデオ信号は図３に示すような方法でテープ上にビデオ信号が記録されうるようなスイッチング手段３１を介して、既知の方法でヘッドに供給されるようにする。
【００２７】
処理手段２１の出力２２およびカウント信号発生器２３の出力２４はこれらを信号結合ユニット３０の関連入力に結合し、前記ユニット３０の出力をスイッチング手段３１に結合する。信号結合ユニット３０は、カウント信号とビデオ信号をトラックに記録するに際し、カウント信号はトラックの第１トラック部分ＦＴＰ  に記録され、ビデオ信号は第２トラック部分ＳＴＰ  に記録されるような方法でその２つの入力に供給される信号を結合するに適するよう構成する。
【００２８】
また、図示装置はテープ搬送モータ３４ならびにモータを種々のモータ速度で駆動しうるようモータに適正な供給信号を与えるモータ制御回路３５の形状のテープ搬送手段を具えるほか、ユーザに装置の記録モードの制御を行わせるためのキーボードＫＢを具える。かくして、ユーザは装置を短いプレーモード、長いプレーモードあるいはきわめて長いプレーモードにスイッチすることができる。すなわち、ライン３７を介してモータ制御回路３５に供給される制御信号の影響のもと、モータ制御回路は、それぞれ短いプレーモード、長いプレーモードあるいはきわめて長いプレーモード用のテープ搬送速度を実現しうるようモータをある一定の速度で作動させるに適した適正な供給信号を生成する。
【００２９】
ライン３７を介してモータ制御回路３５に供給される制御信号はカウント信号発生器２３にも供給するようにする。これら制御信号の影響のもと、カウント信号発生器は図３に示すように、きわめて長いプレーモードにおけるカウント信号のアレイ０，１，２，３，…等、または長いプレーモードにおけるカウント信号のアレイ０，２，４，６，…等もしくは短いプレーモードにおけるカウント信号のアレイ０，４，８，…等のいずれかを生成する。前述のように、カウント信号の供給レートは３つのモードに対し同一である。
【００３０】
図示を省略した本発明装置の他の実施例の場合は、図１に示すように別個のトラックにカウント信号を記録するため分離形記録ヘッドを具える。この場合はカウント信号発生器２３の出力を分離形記録ヘッドに結合する。かくすれば、カウント信号発生器は図１および図２に関し前述したような方法でカウント信号を供給することができる。
【００３１】
図５は完全な挿入（ｉｎｓｅｒｔ）を実現することにより、早期に記録されたテープの編集を示す。図５ａは早期に記録されたテープ１を示すもので、テープの縁部に沿って走行するトラック内に記録されたカウント信号のみを図示してある。早期記録（ｅａｒｌｉｅｒ  ｒｅｃｏｒｄｉｎｇ  ）は装置がきわめて長いプレーモードにある場合に実行されたものとする。
【００３２】
装置の挿入モード（ｉｎｓｅｒｔ  ｍｏｄｅ  ）においては、新しい情報信号はテープ上の第１部分ＦＰに後続する第２部分ＴＰに記録される必要があり、挿入部（インサート）の記録方法は次のとおりである。すなわち、挿入部はカウント信号数８により与えられる位置においてスタートしなければならないものとする。もし、この値が既知の場合、装置はその位置に達するまでテープを搬送する。これは、カウント信号数７に到達するまで、カウント信号を再生することにより達成することができる。ついで、装置は記録に切換えられて、カウント信号発生器２３は８にプリセットされ、このカウント信号が記録のスタート時間に出力に供給される。かくして、カウント信号８がテープ上の第２部分ＴＰに第１カウント信号として記録される。カウント信号を供給するためのカウント信号発生器の供給レートはテープの種々の搬送速度に対して固定されているものとし、さらに挿入部の記録は、装置がきわめて長いプレーモードにあるとき実行されるものとする。その結果として、連続的カウント信号９，１０，  １１，  １２，  …等が生成され、テープに記録される。挿入部の記録はカウント信号数２４に対応する位置において停止する。カウント信号は位置関連方式で生成されるので、挿入モード期間中最後に記録されたカウント信号２４は前に記録されたカウント信号数２４と同じ位置に記録される。これは、挿入部の終りと挿入部に後続する元の記録の部分を分離する境界を超えてのカウント信号の連続的シーケンスをもたらす（図５ａ参照）。
【００３３】
次に、装置が長いプレーモードにスイッチされた場合に挿入が行われるものとする。この場合は、カウント信号発生器の供給レートは固定されているので、挿入モード中には、きわめて長いプレーモードにおけるカウント信号間の差の２倍の連続的カウント信号間の差をもったカウント信号が生成される。したがって、テープの第２部分ＴＰにおける挿入部の記録期間中には、カウント信号８，１０，  １２，  １４，  １６，  １８，  ２０，  ２２および２４が生成される。図５ｂは挿入部の記録、特に第２部分ＴＰにおけるカウント信号の記録を示す。この場合も、挿入部の終りと挿入部に続く元の記録の部分を分離する境界を超えてのカウント信号の連続的シーケンスをもたらす。
【００３４】
次に、装置が短いプレーモードにスイッチされた場合に挿入が行われるものとする。この場合はカウント信号発生器の供給レートは固定されているので、挿入モード中にはきわめて長いプレーモードにおけるカウント信号間の差の４倍の後続カウント信号間の差をもったカウント信号が生成される。したがって、テープの第２部分ＴＰにおける挿入部の記録期間中には、カウント信号８，１２，  １６，  ２０および２４が生成される。図５ｃは挿入部の記録、特に第２部分ＴＰにおけるカウント信号の記録を示す。この場合も、挿入部の終りと挿入部に続く元の記録の部分を分離する境界を超えてのカウント信号の連続的シーケンスをもたらす。
【００３５】
図５ａ、図５ｂおよび図５ｃを比較した場合、言えることは挿入部の記録期間中に記録されるカウント数は常に同じ位置に記録されるということである。したがって、テープ上の特定位置をかなり明瞭な方法で局限することができる。
【００３６】
図６は、記録キャリア１上に毎秒２５画像をベースにした第１ビデオ信号を記録し、かつ毎秒３０画像をベースにした第２ビデオ信号を記録することを可能にした本発明装置の一実施例を示すブロック図である。また、図７は、第１ビデオ信号を記録したトラック（図７ａ）および第２ビデオ信号を記録したトラック（図７ｂ）を示す。記録キャリアの搬送速度は双方の場合で同じものとする。第１ビデオ信号の場合は１つの画像（２フィールドを含む）内に含まれる情報は１２トラックに記録され、１つのフィールド内に含まれる情報は６トラックに記録される。また、第２ビデオ信号の場合には１つの画像内に含まれる情報は１０トラックに記録され、１つのフィールド内に含まれる情報は５トラックに記録される。これは双方の状況に対して毎秒３００  のトラックのビデオ情報が記録されることを意味する。図６に示す装置は図４に示す装置ときわめて類似しているが、この装置は入力端子に結合した入力４１およびカウント信号発生器２３の他のクロック入力４３に結合した出力４２を有するクロック抽出手段４０を具える。この装置、特に処理ユニット２１は第１ビデオ信号または第２ビデオ信号のどちらが入力２０に供給されたかを検出するに適した構造とする。また、それぞれ図７ａおよび７ｂに示したように、第１ビデオ信号の１フィールドにおけるビデオ情報は６つの連続するトラックに記録され、第２ビデオ信号の１フィールドのビデオ情報は５つの連続するトラックに記録される。
【００３７】
クロック抽出手段４０は第１または第２ビデオ信号内に含まれる毎秒の画像数にほぼ比例したクロック信号を抽出する。クロック抽出手段４０により生成され、入力４３に供給されるクロック信号に応答して、カウント信号発生器２３は双方の場合に次式、すなわち、
ＦＳ  ×Ｄ＝一定
を満足するような供給レート  Ｆｓ  で連続する異なるカウント信号を生成する。ここで、Ｄは生成される連続的な異なるカウント信号間の差である。テープ搬送速度は双方の場合に対して同じものとすれば、図７ａに示すように、カウント信号発生器２３にそれぞれトラックＴ１，  Ｔ７，  Ｔ１３，    …にそれらが記録されるような供給レートでカウント信号１，７，１３，…を生成し、また図７ｂに示すように、カウント信号発生器２３は、それぞれトラックＴ１，  Ｔ６，  Ｔ１１，  Ｔ１６，  …にそれらが記録されるような供給レートでカウント信号１，６，１１，  １６，  …を生成する。
【００３８】
テープ搬送速度が第１ビデオ信号と第２ビデオ信号との場合で異なるときには、次の関係式が満足されなければならない。
Ｆｓ  ×Ｄ／  Ｖｔ  ＝一定
ここで、  Ｖｔ  はテープ搬送速度である。
【００３９】
ここで、図６および図７に示す実施例においてカウント信号‘１’はトラックＴ２ないしＴ６（図７ａ）またはＴ２ないしＴ５（図７ｂ）のうち１つまたはそれ以上のトラック内に包含させることができ、同じように、カウント信号‘７’はトラックＴ８ないしＴ１２  （図７ａ）の１つまたはそれ以上のトラック内に、またカウント信号‘６’はトラックＴ７ないしＴ１０  （図７ｂ）の１つまたはそれ以上のトラック内に包含させることができる。
【００４０】
ここで、供給レートは連続的な異なるカウント信号が供給される供給の速度として定義されることを明らかにする必要がある。かくして、図７ａの実施例の場合の供給レートはそれぞれトラックＴ１，  Ｔ７，  Ｔ１３  に記録するためカウント信号１，７，１３，  …が供給される供給速度である。もし、トラックＴ２ないしＴ６に記録するため付加的カウント信号“１”が供給され、トラックＴ８なしいＴ１２  ，…等に記録するため付加的カウント信号“７”，…等が供給される場合、これは上のようにきめられた供給レートに影響を及ぼすことはない。一般的に、生成される種々のカウント信号が毎回ｎ個繰返されて、カウント信号０，０，…，０，１，１，…，１，２，２，…，２，３，３，…等のアレイが生成される場合は、異なるカウント信号の供給レートはｎ回反復されるカウント信号０，１，２，…等の最初の１つが生成される供給レートとして定義されるということができる。
【００４１】
本発明は本明細書記載の実施例に限定されるものでなく、本発明は他の変形をも包含するものである。例えば、情報信号はアナログ情報信号またはディジタル情報信号とすることができ、また、オーディオ信号あるいはビデオ信号とすることもできる。さらに、情報信号は記録キャリア上の１またはそれ以上の縦方向トラックに記録することもでき、あるいは記録キャリア上の傾斜トラックに記録することもできる。
【００４２】
このように上述の本発明装置は記録キャリア上のトラックにカウント信号を記録することを目ざしており、カウント信号はカウント信号の記録期間中における記録キャリアの搬送速度に関係なく、１つのカウント信号が記録キャリア上の対応する同じ位置に記録されるような方法で記録するようにする。かくして、記録キャリア上の位置はかなり明瞭かつ独特な方法でアドレスすることができる。記録キャリア上の任意の位置におけるカウント信号の読出しは、記録キャリアを搬送できる任意の速度に対して、その位置までの記録キャリアの使用時間（ｔｉｍｅ−ｕｓｅｄ  ）ならびにその位置から記録キャリアの終りまでの残り時間（ｔｉｍｅ−ｌｅｆｔ  ）を決定する可能性を与える。
【図面の簡単な説明】
【図１】記録キャリア上の縦方向トラックに記録されたカウント信号を有する記録キャリアを示す図、
【図２】記録キャリアの３つの異なる搬送速度に対するカウント信号の生成状況を示す図、
【図３】記録キャリア上の傾斜トラック内の情報信号とともに記録されたカウント信号を有する記録キャリアを示す図、
【図４】本発明による記録装置の一実施例を示す図、
【図５】記録キャリアの異なる搬送速度に対する完全な挿入の実現を示す図、
【図６】毎秒２５画像をベースにしたビデオ信号を記録し、かつ毎秒３０画像をベースにしたビデオ信号を記録するための装置を示す図、
【図７】それぞれ毎秒２５画像または３０画像を有するビデオ信号の記録中に得られるトラックパターンを示す図。
【符号の説明】
１  縦形記録キャリア
２  トラック
３，２６，  ２７  ヘッド
４  テープの部分
５，２３  カウント信号発生器
２０  入力端子
２１  信号処理手段
２２，  ２４，  ４２  出力
２５  ヘッドドラム
３０  信号結合ユニット
３１  スイッチング手段
３４  テープ搬送モータ
３５  モータ制御回路
３６  ライン
４０  クロック抽出手段
４１，  ４３  入力
ＫＢ  キーボード
【図１】
0003566164.tif 000006
【図２】
0003566164.tif 000007
【図３】
0003566164.tif 000008
【図４】
0003566164.tif 000009
【図５】
0003566164.tif 000010
【図６】
0003566164.tif 000011
【図７】
0003566164.tif 000012